(57)【特許請求の範囲】
【請求項１】
記録媒体に記録された情報である記録情報を読み取って再生する再生装置を試験する装置であって、
試験対象の前記再生装置に読み取らせる試験用の記録媒体に記録されている記録情報を、該再生装置に該試験用の記録媒体を読み取らせる前に試験用情報として予め記憶した記憶部と、
前記再生装置を制御して前記試験用の記録媒体に記録された記録情報を該再生装置に読み取らせ、該再生装置に該記録媒体に記録された該記録情報を再生させる再生装置制御部と、
前記再生装置制御部が前記再生装置に前記試験用の記録媒体に記録された記録情報を再生させている間、該再生装置の再生状態を取得する状態取得部と、
前記記憶部に予め記憶されている前記試験用情報を参照し、前記状態取得部が取得した前記再生装置の再生状態が前記試験用の記録媒体に記録された記録情報の通りであるか否かを判定する判定部と、を備え、
前記再生装置は、前記記録媒体に記録された前記記録情報を読み取り、該記録情報に含まれるコンテンツ情報を該記録情報に含まれる再生制御情報に基づいて再生するものであり、
前記記憶部は、試験対象の前記再生装置に読み取らせる試験用の記録媒体に記録されている前記再生制御情報を前記試験用情報として予め記憶しており、
前記再生装置制御部は、前記再生装置を制御して前記試験用の記録媒体に記録された前記記録情報を該再生装置に読み取らせ、該再生装置に該記録情報に含まれる前記コンテンツ情報を該記録情報に含まれる前記再生制御情報に基づいて再生させ、
前記状態取得部は、前記再生装置制御部が前記再生装置に前記試験用の記録媒体に記録されたコンテンツ情報を再生させている間、該再生装置の再生状態を取得し、
前記判定部は、前記記憶部に前記試験用情報として予め記憶されている前記再生制御情報を参照し、前記状態取得部が取得した前記再生装置の再生状態が前記試験用の記録媒体に記録された再生制御情報の通りに動作しているか否かを判定する、
再生装置試験装置。
【請求項２】
前記記憶部は、前記再生装置が前記試験用の記録媒体のコンテンツを再生する際に該再
生装置の再生状態を変化させるコンテンツ情報の位置の情報である変化位置情報を、該再生装置に該試験用の記録媒体を読み取らせる前に更に予め記憶しており、
前記再生装置制御部は、前記再生装置に前記記録媒体に記録されたコンテンツ情報を再生させる際、前記記憶部に予め記憶されている前記変化位置情報に基づいて該再生装置を制御することで該再生装置が該再生装置の再生状態を変化させるコンテンツ情報を再生するように該再生装置を制御し、
前記状態取得部は、前記再生装置の再生状態が変化する前と後の再生状態を取得し、
前記判定部は、前記記憶部に記憶されている前記試験用情報を参照し、前記状態取得部が取得した前記再生装置の再生状態が変化する前と後の再生状態が前記試験用の記録媒体に記録されたデータに含まれる再生制御情報の通りに変化しているか否かを判定する、
請求項１に記載の再生装置試験装置。
【請求項３】
前記再生装置は、前記記録媒体に記録された前記記録情報を読み取り、該記録情報に含まれるコンテンツ情報を該記録情報に含まれる再生制御情報に基づいて再生するものであり、
前記記憶部は、試験対象の前記再生装置に読み取らせる試験用の記録媒体に記録されている前記コンテンツ情報を前記試験用情報として予め記憶しており、
前記再生装置制御部は、前記再生装置を制御して前記試験用の記録媒体に記録された前記記録情報を該再生装置に読み取らせ、該再生装置に該記録情報に含まれる前記コンテンツ情報を該記録情報に含まれる前記再生制御情報に基づいて再生させ、
前記状態取得部は、前記再生装置制御部が前記再生装置に前記試験用の記録媒体に記録されたコンテンツ情報を再生させている間、該再生装置が再生したコンテンツの状態を取得し、
前記判定部は、前記記憶部に前記試験用情報として予め記憶されている前記コンテンツ情報を参照し、前記状態取得部が取得した前記再生装置が再生したコンテンツの異常の有無を判定する、
請求項１または２に記載の再生装置試験装置。
【請求項４】
記録媒体に記録された情報である記録情報を読み取って再生する再生装置を試験する方法であって、
試験対象の前記再生装置に読み取らせる試験用の記録媒体に記録されている記録情報を、該再生装置に該試験用の記録媒体を読み取らせる前に試験用情報として記憶部に予め記憶させる記憶ステップと、
前記再生装置を制御して前記試験用の記録媒体に記録された記録情報を該再生装置に読み取らせ、該再生装置に該記録媒体に記録された該記録情報を再生させる再生装置制御ステップと、
前記再生装置制御ステップの実行により前記再生装置に前記試験用の記録媒体に記録された記録情報を再生させている間、該再生装置の再生状態を取得する状態取得ステップと、
前記記憶部に予め記憶されている前記試験用情報を参照し、前記状態取得ステップにおいて取得した前記再生装置の再生状態が前記試験用の記録媒体に記録された記録情報の通りであるか否かを判定する判定ステップと、を備え、
前記再生装置は、前記記録媒体に記録された前記記録情報を読み取り、該記録情報に含まれるコンテンツ情報を該記録情報に含まれる再生制御情報に基づいて再生するものであり、
前記記憶ステップは、試験対象の前記再生装置に読み取らせる試験用の記録媒体に記録されている前記再生制御情報を前記試験用情報として予め記憶させ、
前記再生装置制御ステップは、前記再生装置を制御して前記試験用の記録媒体に記録された前記記録情報を該再生装置に読み取らせ、該再生装置に該記録情報に含まれる前記コンテンツ情報を該記録情報に含まれる前記再生制御情報に基づいて再生させ、
前記状態取得ステップは、前記再生装置制御ステップの実行により前記再生装置に前記試験用の記録媒体に記録されたコンテンツ情報を再生させている間、該再生装置の再生状態を取得し、
前記判定ステップは、前記記憶部に前記試験用情報として予め記憶されている前記再生制御情報を参照し、前記状態取得ステップにおいて取得した前記再生装置の再生状態が前記試験用の記録媒体に記録された再生制御情報の通りに動作しているか否かを判定する、
再生装置試験方法。
【発明の詳細な説明】
【技術分野】
【０００１】
本発明は、再生装置試験装置、及び再生装置試験方法に関する。
【背景技術】
【０００２】
近年、情報技術の発達に伴い、情報を記録した記録媒体の再生技術が高度化している。例えば、映画のコンテンツ等を記録したＤＶＤディスクは、コンテンツの情報以外にコンテンツの再生順序やハイライト、操作ボタン、字幕、音声等、コンテンツを再生する際に再生装置を制御する情報であるメディア情報が記録されている。このメディア情報はＤＶＤディスクの作成者が作った情報であり、ＤＶＤデッキ等の再生装置はＤＶＤディスクの作成者が指定した再生順序等でコンテンツを再生する。これにより、ユーザは、高品位なコンテンツの視聴が可能となる。
【０００３】
コンテンツが記録された記録媒体を再生する再生装置は、コンテンツを正しく再生する必要がある。そこで、再生装置の動作が正常であるか否かを確認する技術が従来から提案されている。例えば、特許文献１には、ディスクを再生する際、再生順序の良否、音飛び回数の検出状態の良否を検査する技術が記載されている。また、特許文献２には、メディアに記録されているＴＯＣ（Table of contents）情報をシーン画像と絡めて印刷する技
術が記載されている。
【特許文献１】特開２００２−１５７８４３号公報
【特許文献２】特開２００６−１０８９２６号公報
【発明の開示】
【発明が解決しようとする課題】
【０００４】
従来技術によれば、再生装置を制御する情報が記録媒体毎に異なるため、これら記録媒体を再生装置に再生させて正しく動作するか否かを確認する際には記録媒体の情報を人がデバッガで確認しながら再生装置の動作確認を行っているのが現状であった。このため、再生装置を大量生産する製造現場では再生装置の動作確認の際にチェック漏れ等が発生しやすく、また効率的に処理する方法が無かった。そこで、本発明は、再生装置の動作の良否判定を容易にする再生装置試験装置、及び再生装置試験方法を提供することを課題とする。
【課題を解決するための手段】
【０００５】
本発明は、上記課題を解決するため、試験用の記録媒体に記録されている情報を試験用情報として予め記憶しておき、試験対象の再生装置が試験用の記録媒体を読み取って再生する際、予め記憶している試験用情報を参照することにより、試験対象の再生装置の再生状態の良否を判定する。
【０００６】
詳細には、記録媒体に記録された情報である記録情報を読み取って再生する再生装置を試験する装置であって、試験対象の前記再生装置に読み取らせる試験用の記録媒体に記録されている記録情報を、該再生装置に該試験用の記録媒体を読み取らせる前に試験用情報として予め記憶した記憶部と、前記再生装置を制御して前記試験用の記録媒体に記録された記録情報を該再生装置に読み取らせ、該再生装置に該記録媒体に記録された該記録情報を再生させる再生装置制御部と、前記再生装置制御部が前記再生装置に前記試験用の記録媒体に記録された記録情報を再生させている間、該再生装置の再生状態を取得する状態取
得部と、前記記憶部に予め記憶されている前記試験用情報を参照し、前記状態取得部が取得した前記再生装置の再生状態が前記試験用の記録媒体に記録された記録情報の通りであるか否かを判定する判定部と、を備え、前記再生装置は、前記記録媒体に記録された前記記録情報を読み取り、該記録情報に含まれるコンテンツ情報を該記録情報に含まれる再生制御情報に基づいて再生するものであり、前記記憶部は、試験対象の前記再生装置に読み取らせる試験用の記録媒体に記録されている前記再生制御情報を前記試験用情報として予め記憶しており、前記再生装置制御部は、前記再生装置を制御して前記試験用の記録媒体に記録された前記記録情報を該再生装置に読み取らせ、該再生装置に該記録情報に含まれる前記コンテンツ情報を該記録情報に含まれる前記再生制御情報に基づいて再生させ、前記状態取得部は、前記再生装置制御部が前記再生装置に前記試験用の記録媒体に記録されたコンテンツ情報を再生させている間、該再生装置の再生状態を取得し、前記判定部は、前記記憶部に前記試験用情報として予め記憶されている前記再生制御情報を参照し、前記状態取得部が取得した前記再生装置の再生状態が前記試験用の記録媒体に記録された再生制御情報の通りに動作しているか否かを判定する。
【０００７】
上記再生装置試験装置は、再生装置の再生状態の良否を判定することを目的とする装置であり、再生装置の再生状態が正常であれば予め記憶している記録情報の通りに動作するという前提に基づいて試験する。再生装置試験装置は、再生装置の再生状態の良否を判定するため、記憶部と再生装置制御部と状態取得部と判定部とを備える。
【０００８】
記憶部は、上記再生装置試験装置が再生装置を試験するに先立ち、試験のために再生装置に読み取らせる試験用の記録媒体に記録されている情報を試験用情報として予め記憶している。試験用情報とは、再生装置を試験する際に判定部が参照する情報であり、例えば、試験用の記録媒体のコンテンツ情報を再生する際に必要な映像の再生順序、音響の設定等に関する情報や、映像データおよび音声データ等のコンテンツ情報である。
【０００９】
再生装置制御部は、試験対象の再生装置を制御する役割を司る。すなわち、再生装置制御部は、試験を開始する際、試験対象の再生装置に記録媒体の読み取りを開始させたり、或いは試験に関係の無いコンテンツを再生している際に係るコンテンツの再生をスキップさせたりする。
【００１０】
状態取得部は、再生装置の再生状態を取得するものであり、試験用の記録媒体に記録されている記録情報を再生中の再生装置の再生状態を監視し、再生状態を取得する。ここで、再生状態とは、再生装置の良否を判定するための試験項目に係る状態であり、例えば、試験用の記録媒体を再生中の再生装置が行う再生順序や音響設定の制御状態、或いは再生した映像データや音声データ等、コンテンツの状態である。例えば、試験用の記録媒体に記録されている記録情報に音量の設定に関する制御の情報が含まれていれば、状態取得部は、再生装置が出力する音量を監視する。状態取得部は、試験用の記録媒体を再生している再生装置が出力する音量を監視することにより、再生装置が試験用の記録媒体に記録されている記録情報に基づいて音量を変化させたような場合にこの状態変化を取得することが可能である。
【００１１】
判定部は、予め記憶されている試験用情報を参照することで、試験用の記録媒体を再生している再生装置がこの記録媒体に記録されている記録情報の通りに再生しているか否かを判定する。再生装置が試験用の記録媒体に記録されている記録情報を正しく読み取ることができない場合や記録情報を正しく再生できないような場合、再生装置の再生状態と記憶部に記憶されている試験用情報の内容との間で不一致が生じる。判定部は、このような一致不一致の結果に基づいて再生装置の再生状態の良否を判定する。
【００１２】
以上、上記再生装置試験装置によれば、再生装置の動作の良否判定を容易にすることが可能になる。
【００１４】
ここで、コンテンツ情報とは、記録媒体に記録された記録情報に含まれる情報であって、ユーザに供する情報であり、例えば、映像データや音声データ等の情報である。また、再生制御情報とは、記録媒体に記録された記録情報に含まれる情報であって、コンテンツ情報を再生装置が再生する際に必要な情報であり、例えば、再生装置の再生状態を変化させ得るチャプターの再生順序の情報や音響設定に関する情報等である。上記再生装置試験装置によれば、試験対象の再生装置の再生制御状態が正常であるか否かを判定することが可能となる。
【００１５】
また、前記記憶部は、前記再生装置が前記試験用の記録媒体のコンテンツを再生する際に該再生装置の再生状態を変化させるコンテンツ情報の位置の情報である変化位置情報を、該再生装置に該試験用の記録媒体を読み取らせる前に更に予め記憶しており、前記再生装置制御部は、前記再生装置に前記記録媒体に記録されたコンテンツ情報を再生させる際、前記記憶部に予め記憶されている前記変化位置情報に基づいて該再生装置を制御することで該再生装置が該再生装置の再生状態を変化させるコンテンツ情報を再生するように該再生装置を制御し、前記状態取得部は、前記再生装置の再生状態が変化する前と後の再生状態を取得し、前記判定部は、前記記憶部に記憶されている前記試験用情報を参照し、前記状態取得部が取得した前記再生装置の再生状態が変化する前と後の再生状態が前記試験用の記録媒体に記録されたデータに含まれる再生制御情報の通りに変化しているか否かを判定するようにしてもよい。
【００１６】
判定部は、再生装置の再生状態と記憶部に記憶されている試験用情報の内容との間の一致不一致に基づいて再生装置の再生状態を確認する。よって、再生装置の再生状態が変化しないような部分の試験用記録媒体の情報を再生装置に再生させ続けることは時間であり好ましくない。そこで、記憶部に、変化位置情報を予め記憶させておく。変化位置情報とは、コンテンツ情報を再生している再生装置の再生状態が変化する時にこの再生装置が読み取っている記録媒体上の情報の位置であり、例えば、タイムカウンタが示す時間、あるいは記録媒体上の位置を示すアドレスで構成される情報等である。なお、これにより、記憶部には試験用再生制御情報と変化位置情報とが記憶されていることになるが、本発明は、これら情報が複数のハードウェア資源に分散して記憶されている状態を排除するものではない。
【００１７】
再生装置制御部が上記変化位置情報に基づいて再生装置を制御することにより再生装置の再生状態が変化する部分のコンテンツ情報を再生装置が再生するようになるため、状態取得部による再生状態の取得及び判定部による再生状態の判定が効率的に実行されるようになる。
【００１８】
また、前記再生装置は、前記記録媒体に記録された前記記録情報を読み取り、該記録情報に含まれるコンテンツ情報を該記録情報に含まれる再生制御情報に基づいて再生するものであり、前記記憶部は、試験対象の前記再生装置に読み取らせる試験用の記録媒体に記録されている前記コンテンツ情報を前記試験用情報として予め記憶しており、前記再生装置制御部は、前記再生装置を制御して前記試験用の記録媒体に記録された前記記録情報を該再生装置に読み取らせ、該再生装置に該記録情報に含まれる前記コンテンツ情報を該記録情報に含まれる前記再生制御情報に基づいて再生させ、前記状態取得部は、前記再生装置制御部が前記再生装置に前記試験用の記録媒体に記録されたコンテンツ情報を再生させている間、該再生装置が再生したコンテンツの状態を取得し、前記判定部は、前記記憶部に前記試験用情報として予め記憶されている前記コンテンツ情報を参照し、前記状態取得部が取得した前記再生装置が再生したコンテンツの異常の有無を判定するようにしてもよい。係る再生装置試験装置によれば、試験対象の再生装置が再生するコンテンツの再生状態が正常であるか否かを判定することが可能となる。
【００１９】
また、本発明は、記録媒体に記録された情報である記録情報を読み取って再生する再生装置を試験する方法であって、試験対象の前記再生装置に読み取らせる試験用の記録媒体に記録されている記録情報を、該再生装置に該試験用の記録媒体を読み取らせる前に試験用情報として記憶部に予め記憶させる記憶ステップと、前記再生装置を制御して前記試験用の記録媒体に記録された記録情報を該再生装置に読み取らせ、該再生装置に該記録媒体に記録された該記録情報を再生させる再生装置制御ステップと、前記再生装置制御ステップの実行により前記再生装置に前記試験用の記録媒体に記録された記録情報を再生させている間、該再生装置の再生状態を取得する状態取得ステップと、前記記憶部に予め記憶されている前記試験用情報を参照し、前記状態取得ステップにおいて取得した前記再生装置の再生状態が前記試験用の記録媒体に記録された記録情報の通りであるか否かを判定する判定ステップと、を備え、前記再生装置は、前記記録媒体に記録された前記記録情報を読み取り、該記録情報に含まれるコンテンツ情報を該記録情報に含まれる再生制御情報に基づいて再生するものであり、前記記憶ステップは、試験対象の前記再生装置に読み取らせる試験用の記録媒体に記録されている前記再生制御情報を前記試験用情報として予め記憶させ、前記再生装置制御ステップは、前記再生装置を制御して前記試験用の記録媒体に記録された前記記録情報を該再生装置に読み取らせ、該再生装置に該記録情報に含まれる前記コンテンツ情報を該記録情報に含まれる前記再生制御情報に基づいて再生させ、前記状態取得ステップは、前記再生装置制御ステップの実行により前記再生装置に前記試験用の記録媒体に記録されたコンテンツ情報を再生させている間、該再生装置の再生状態を取得し、前記判定ステップは、前記記憶部に前記試験用情報として予め記憶されている前記再生制御情報を参照し、前記状態取得ステップにおいて取得した前記再生装置の再生状態が前記試験用の記録媒体に記録された再生制御情報の通りに動作しているか否かを判定するものであってもよい。
【発明の効果】
【００２５】
本発明によれば、再生装置の動作の良否判定を容易にする再生装置試験装置、及び再生装置試験方法を提供することが可能となる。
【発明を実施するための最良の形態】
【００２６】
以下、本発明を実施するための最良の形態を例示的に説明する。なお、以下に示す再生装置試験装置、及び再生装置試験用情報抽出装置は、ＤＶＤ（Digital Versatile video Disc）デッキ（本発明でいう、再生装置に相当する）を試験することを前提としているが、本発明はこれに限定されるものでなく、記録媒体に記録された制御情報に基づいてコンテンツを再生する再生装置であれば如何なるものに適用してもよい。
【００２７】
説明の便宜上、まず始めに再生装置試験用情報抽出装置の構成、及び動作フローについて説明した後、この装置で抽出した情報を基に再生装置の試験を行う再生装置試験装置の構成、及び動作フローについて説明する。
【００２８】
＜再生装置試験用情報抽出装置の構成＞
図１は、本発明の一実施形態に係る再生装置試験用情報抽出装置１０の構成を示す。図１が示すように、再生装置試験用情報抽出装置１０は、ＣＰＵ１１（Central Processing
Unit）、ＲＯＭ１２（Read Only Memory）、ＲＡＭ１３（Random Access Memory）、及
び入出力インターフェース１４を備えている。なお、再生装置試験用情報抽出装置１０は、入出力インターフェース１４を介してディスクドライブ１５（本発明でいう、読み取り部に相当する）、及び記憶装置１６と接続されている。また、再生装置試験用情報抽出装置１０は、抽出した情報を確認するためのＰＣ３０（Personal Computer）が接続されて
いる。
【００２９】
図２は、ＣＰＵ１１の機能ブロックを示す図である。図２が示すように、ＣＰＵ１１は、ディスクドライブ制御機能部１１Ａ、及びデータ処理機能部１１Ｂを有している。ＣＰＵ１１は、再生装置試験用情報抽出装置１０に電源が接続されるとＲＯＭ１２に記憶されているプログラムを読み取って実行することにより、これらディスクドライブ制御機能部１１Ａ、及びデータ処理機能部１１Ｂとしての諸機能を実現する。
【００３０】
ディスクドライブ制御機能部１１Ａは、主にディスクドライブ１５の動作を制御する役割を司る。詳細には、ディスクドライブ制御機能部１１Ａは、ディスクドライブ１５にＤＶＤディスクが挿入されたことを検知するとディスクドライブ１５を制御し、挿入されたＤＶＤディスクを再生させる。
【００３１】
データ処理機能部１１Ｂは、データを処理する役割を司る。詳細には、データ処理機能部１１Ｂは、ディスクドライブ制御機能部１１Ａの制御によりディスクドライブ１５がＤＶＤディスクの再生を開始すると、ディスクドライブ１５によって抽出されたＤＶＤディスクのデータを、入出力インターフェース１４を介して記憶装置１６へ送り、保存させる。
【００３２】
ＲＯＭ１２は、記憶保持動作が不要なメモリであり、ＣＰＵ１１が実行するプログラムが予め記憶されている。ＲＯＭ１２は、ＣＰＵ１１からアクセス可能なように接続されている。ＲＡＭ１３は、記憶保持動作が必要なメモリであり、ＣＰＵ１１がデータを一時的に格納する場合等に使用される。ＲＡＭ１３は、ＲＯＭ１２と同様、ＣＰＵ１１からアクセス可能なように接続されている。ＲＡＭ１３は、再生装置試験用情報抽出装置１０の電源が切断されると、格納していたデータを失う。
【００３３】
ディスクドライブ１５は、光ピックアップレンズや発光素子、ディスク駆動モータ等で構成されており、挿入されたＤＶＤディスクに記録されている情報を読み取る。ディスクドライブ１５は、ＣＰＵ１１と入出力インターフェース１４を介して接続されており、ＣＰＵ１１からの指令を受けてＤＶＤディスクを再生する。
【００３４】
入出力インターフェース１４は、ＣＰＵ１１と外部に接続された機器とを接続してデータや制御信号を交換するインターフェースであり、ＣＰＵ１１と記憶装置１６やディスクドライブ１５、ＰＣ３０との間の情報交換を中継する。
【００３５】
記憶装置１６は、記憶保持動作が不要なハードディスク装置であり、取り外し可能な通信ケーブルによって再生装置試験用情報抽出装置１０と電気的に接続されている。記憶装置１６は、試験用のＤＶＤディスクに記録されている再生制御情報を格納する役割を司るものであり、再生装置試験用情報抽出装置１０がＤＶＤディスクから抽出した再生制御情報である試験用再生制御情報を記憶する。記憶装置１６は、十分な量の記憶領域が確保されており、ＤＶＤディスクに記録されている制御情報を１００枚分以上記憶することが可能である。
【００３６】
＜再生装置試験用情報抽出装置の動作フロー＞
次に、再生装置試験用情報抽出装置１０の動作の流れについて説明する。図３は、再生
装置試験用情報抽出装置１０の動作フローを示す。以下、図３に示すフロー図に沿って再生装置試験用情報抽出装置１０の動作について説明する。
【００３７】
（ステップＳ１０１：ディスク再生開始）再生装置試験用情報抽出装置１０に電源が投入されると、ＣＰＵ１１は、ＲＯＭ１２に記憶されているプログラムを読み取って実行する。これにより、ＣＰＵ１１においてディスクドライブ制御機能部１１Ａ、及びデータ処理機能部１１Ｂとしての機能が実現される。ＣＰＵ１１は、ディスクドライブ１５にＤＶＤディスクが挿入されたらディスクドライブ１５を制御してＤＶＤディスクを再生させる。ここで挿入されるＤＶＤディスクはＤＶＤデッキの動作テストをするためのディスクであり、本発明でいう「試験用の記録媒体」に相当する。ＤＶＤディスクは、コンテンツを記録したものであればよく、試験等を行うための特殊なデータを記録したようなものである必要は無い。よって、再生装置試験用情報抽出装置１０に挿入するディスクは、市販されているものや個人が作成したようなものでよい。本ステップでＣＰＵ１１が実行する一連の処理は、ディスドライブ制御機能部１１Ａによって実現される。
【００３８】
（ステップＳ１０２：ディスク情報通知）ＣＰＵ１１は、ディスクドライブ１５がＤＶＤディスクを再生している間、ディスクドライブ１５から通知されるデータを取得する。そして、ＣＰＵ１１は、ディスクドライブ１５がＤＶＤディスクを再生している間、ディスクドライブ１５から通知される再生制御装置のデータであって、以下の表に示す項目のデータを取得する。なお、本ステップでＣＰＵ１１が実行する一連の処理は、データ処理機能部１１Ｂによって実現される。
【００３９】
【表１】
0005021516.tif 000002
【００４０】
（ステップＳ１０３：ディスク情報保存）ＣＰＵ１１は、ディスクドライブ１５から通知される再生制御情報のデータを再生時間のデータと共に入出力インターフェース１４を介して記憶装置１６に保存する。ＣＰＵ１１は、記憶装置１６にデータを保存する際、保存したデータの取り扱いの利便性に鑑み、“txt”、“csv”、“xls”等のファイル形式
でデータを保存する。これにより、キーワード検索等の情報処理が容易になる。ＣＰＵ１１がディスクドライブ１５から通知されるデータを再生時間のデータと共に記憶装置１６へ保存することにより、保存されたデータを基に再生装置を試験する際、再生時間のデータを手掛かりに制御情報が変化する部分のコンテンツのみを再生することで効率的に再生装置の試験を行うことが可能になる。すなわち、例えば、同一チャプタ内で制御情報に変化が無いものに関しては各チャプタの先頭のみを再生させることで再生装置が制御情報どおりに動作しているか否かを効率的に確認することが可能であるし、チャプタ内で制御情報が変化しているものに関しては変化している位置の手前までチャプタ内を早送りさせることで再生装置が制御情報どおりに動作しているか否かを効率的に確認することが可能となる。これにより、再生装置の試験を行う際に試験時間の短縮が図られる。本ステップでＣＰＵ１１が実行する一連の処理は、データ処理機能部１１Ｂによって実現される。
【００４１】
（ステップＳ１０４：終了判定）ＣＰＵ１１は、未取得の再生制御情報のデータが残っているか否かを確認する。ＣＰＵ１１は、未取得の再生制御情報のデータがＤＶＤディスクに残っていれば、一連の処理を終了する。一方、ＣＰＵ１１は、未取得の再生制御情報のデータがＤＶＤディスクに残っていなければ、ステップＳ１０２以降の処理を再び実行する。本ステップでＣＰＵ１１が実行する終了判定処理は、データ処理機能部１１Ｂによって実現される。
【００４２】
＜再生装置試験用情報抽出装置の効果＞
以上、上記再生装置試験用情報抽出装置によれば、ＤＶＤデッキの動作テストをする際に必要な試験用再生制御情報を自動的に効率良く収集することが可能になる。図４は、収集したデータの一例である。図４に示すように、記憶装置１６には、再生状態が変化する時の制御情報が再生時間の情報と共に保存される。すなわち、例えば、図４に示す例であれば、ＤＶＤディスクに書き込まれている再生制御のデータのうち、チャプタ番号が１０から２へ変化し且つボタンＫｅｙ受付が１から１／２／３へ変化した時の各項目の再生制御のデータが、データが変化した時の再生時間（すなわち、００時５分００秒）と共に保存されている。よって、このように再生制御のデータが既に採取されたＤＶＤディスクを使ってＤＶＤデッキの動作確認を行えば、ＤＶＤデッキの動作が良好であるか否かを判定することが可能になる。なお、上記ステップＳ１０１からステップＳ１０４の一連の処理を実行している間、ディスクドライブ１５は、ＤＶＤディスクにランダムアクセスすることなくシーケンシャルにアクセスすることが好ましい。再生制御のデータの読み落としを防ぐためである。
【００４３】
なお、図４に示すデータは、ＰＣ３０のモニタに表示可能である。ここで、ＰＣ３０は、図４に示すデータをユーザに判り易い情報に変換してから表示するようにしてもよい。すなわち、例えば、ＰＣ３０は、ＤＶＤディスクに書き込まれている再生制御のデータを変換するコードを項目毎に予め変換データとして保持しており、この変換データに基づいて情報を変換したのち表示してもよい。変換データは、再生装置試験用情報抽出装置が抽出した制御情報の符号が示す意味の言語のデータを、符号と関連付けたデータであり、例えば、再生装置試験用情報抽出装置が「量子化周波数」に関する制御情報について符号「１」を抽出した場合、この符号「１」が示す意味は「４４．１ｋＨｚ」といった具合にユーザが判る意味に変換するデータである。変換データの内容を、以下の表２に示す。
【表２】
0005021516.tif 000003
【００４４】
ＰＣ３０は、上記表２の変換データを自身のハードディスク等に予め記憶している。ＰＣ３０は、ユーザ操作を受けて再生装置試験用情報抽出装置１０が抽出したデータを表示する際はこの変換データを参照して制御情報の符号を変換し、表示する。図５は、変換した収集データの一例を示す。図５が示すように、「０」や「１」といった符号のデータがその意味を示す表示に変換される。これにより、ユーザは、制御情報の内容を容易に理解することが可能となる。
【００４５】
なお、上記再生装置試験用情報抽出装置は、表１に示す試験項目のデータを取得していたが、次のように変形しても良い。すなわち、上記再生装置試験用情報抽出装置は、表１に示す項目以外の項目、例えば、映像データや音声データ等、コンテンツに係るデータを採取しても良い。具体的には、ステップＳ１０２の処理において、ＣＰＵ１１は、ディスクドライブ１５から通知される映像や音声のデータを取得する。そして、ＣＰＵ１１は、ステップＳ１０３の処理において、ディスクドライブ１５から通知される映像や音声のデータを記憶装置１６に保存する。
【００４６】
＜再生装置試験装置の構成＞
次に、上記再生装置試験用情報抽出装置１０で抽出したデータに基づいてＤＶＤデッキを試験する再生装置試験装置について説明する。図６は、本発明の一実施形態に係る再生装置試験装置２０の構成を示す。図６が示すように、再生装置試験装置２０は、ＣＰＵ２１、ＲＯＭ２２、ＲＡＭ２３、及び入出力インターフェース２４を備えている。なお、再
生装置試験装置２０は、入出力インターフェース２４を介して記憶装置１６やＤＶＤデッキ４０、ＰＣ３０が接続されている。また、再生装置試験装置２０に接続される記憶装置１６には、上記再生装置試験用情報抽出装置１０が抽出した試験用のデータが保存されているものとする。
【００４７】
図７は、ＣＰＵ２１の機能ブロックを示す図である。図７が示すように、ＣＰＵ２１は、ＤＶＤデッキ制御機能部２１Ａ（本発明でいう、再生装置制御部に相当する）、ＤＶＤデッキの再生状態を取得する状態取得機能部２１Ｂ（本発明でいう、状態取得部に相当する）、及びＤＶＤデッキの再生状態が良好であるか否かを判定する判定機能部２１Ｃ（本発明でいう、判定部に相当する）を有している。ＣＰＵ２１は、再生装置試験装置２０に電源が接続されるとＲＯＭ２２に記憶されているプログラムを読み取って実行することにより、ＤＶＤデッキ制御機能部２１Ａ、状態取得機能部２１Ｂ、及び判定機能部２１Ｃとしての諸機能を実現する。
【００４８】
ＤＶＤデッキ制御機能部２１Ａは、主にＤＶＤデッキ４０の動作を制御する役割を司る。詳細には、ＤＶＤデッキ制御機能部２１Ａは、入出力インターフェース２４を介してＤＶＤデッキ４０に制御信号を通知し、ＤＶＤデッキ４０にＤＶＤディスクを再生させたり早送りさせたりする。
【００４９】
状態取得機能部２１Ｂは、主にＤＶＤデッキ４０の再生状態を取得する役割を司る。詳細には、状態取得機能部２１Ｂは、入出力インターフェース２４を介してＤＶＤデッキ４０から通知される再生状態のデータ（例えば、再生中のチャプタ番号や音響の設定に関するデータ）を取得する。
【００５０】
判定機能部２１Ｃは、記憶装置１６に保存されているデータを基に、状態取得機能部２１Ｂが取得したＤＶＤデッキ４０の再生状態のデータからＤＶＤデッキ４０の良否を判定する。また、判定機能部２１Ｃは、判定結果を記憶装置１６に保存し、或いはＰＣ３０へ出力する。
【００５１】
その他の構成要素であるＲＯＭ２２、ＲＡＭ２３、及び入出力インターフェース２４は、上述した再生装置試験用情報抽出装置１０のＲＯＭ１２、ＲＡＭ１３、及び入出力インターフェース１４と同様であるため、その説明を省略する。
【００５２】
＜再生装置試験装置の動作フロー＞
次に、再生装置試験装置２０の動作の流れについて説明する。図８は、再生装置試験装置２０の動作フローを示す。以下、図８に示すフロー図に沿って再生装置試験装置２０の動作について説明する。
【００５３】
（ステップＳ２０１：ディスク再生開始）再生装置試験装置２０に電源が投入されると、ＣＰＵ２１は、ＤＶＤデッキ４０を制御してＤＶＤディスクを再生させる。ＤＶＤデッキ４０が再生するＤＶＤディスクは、上記再生装置試験用情報抽出装置１０によって再生制御のデータが予め記憶装置１６に格納されているディスクである。なお、ＣＰＵ２１は、ＤＶＤデッキ４０を制御するにあたって記憶装置１６のデータを参照し、制御情報のデータと共に保存されている再生時間のデータを取得する。ＣＰＵ２１は、記憶装置１６から取得した再生時間のデータとＤＶＤデッキ４０から通知される再生時間のデータとを比較し、記憶装置１６に再生時間のデータが記録されていない部分をＤＶＤデッキ４０が再生している場合は、ＤＶＤデッキ４０に早送りを指示する。すなわち、例えば、図４に示すような試験用データが記憶装置１６に記憶されている場合であって、ＤＶＤデッキ４０が００時００分０２秒を再生している場合、ＣＰＵ２１は、次にＤＶＤデッキ４０の再生状態が変化する再生時間である００時５分００秒の少し前（例えば、１秒前である００時
４分５９秒）まで早送りさせる。通常の速度で再生させると時間を浪費するからである。このように、ＤＶＤデッキ４０が記憶装置１６に予め記憶されている再生時間の部分のみを再生するように（すなわち、制御状態が変化しないような部分をジャンプするように）ＤＶＤデッキ４０の動作を制御することで、ＤＶＤデッキ４０の試験を省力化して効率的に行うことができる。本ステップでＣＰＵ２１が実行する一連の処理は、ＤＶＤデッキ制御機能部２１Ａによって実現される。
【００５４】
（ステップＳ２０２：テスト）ＤＶＤデッキ４０がＤＶＤディスクの再生を開始すると、ＣＰＵ２１は、ＤＶＤデッキ４０から通知される再生状態のデータを取得する。ＣＰＵ２１が取得する再生制御状態のデータは、上記表１の各項目に示したものである。ＣＰＵ２１が実行するデータの取得処理は、状態取得機能部２１Ｂによって実現される。そして、ＣＰＵ２１は、記憶装置１６に保存されているデータとＤＶＤデッキ４０から通知される再生状態のデータとを比較する。すなわち、ＣＰＵ２１は、ＤＶＤデッキ４０の再生時間が記憶装置１６に保存されている再生時間と同じ時に、ＤＶＤデッキ４０の再生状態が記憶装置１６に保存されている再生状態と同じように変化するか否かを判定する。ＣＰＵ２１は、再生状態が同じように変化していない場合、このＤＶＤデッキ４０が不良であると判定する。図４の例であれば、例えば、ＤＶＤデッキ４０が再生時間００時４分５９秒から００時５分０１秒までＤＶＤディスクを再生しても、ＤＶＤデッキ４０から通知される再生状態のデータの一つであるチャプタ番号のデータが１０から２ではなく１０から３へ変化した場合、記憶装置１６に記憶されている試験用のデータと不一致なのでこのＤＶＤデッキ４０が不良であると判定する。ＣＰＵ２１が実行するデータの比較処理は、判定機能部２１Ｃによって実現される。
【００５５】
（ステップＳ２０３：保存）ＣＰＵ２１は、ステップＳ２０２における判定結果を記憶装置１６に保存する。本ステップでＣＰＵ２１が実行する保存処理は、判定機能部２１Ｃによって実現される。
【００５６】
（ステップＳ２０４：終了判定）ＣＰＵ２１は、ＤＶＤデッキ４０の動作状態を確認し、ＤＶＤデッキ４０がＤＶＤディスクの再生を続けているか否かを検出する。ＣＰＵ２１は、ＤＶＤデッキ４０がＤＶＤディスクの再生を終了していれば、一連の処理を完了する。一方、ＣＰＵ２１は、ＤＶＤデッキ４０がＤＶＤディスクの再生を続けていれば、まだ試験が完了していないと判断し、ステップＳ２０２以降の処理を再び実行する。本ステップでＣＰＵ２１が実行する判定処理は、判定機能部２１Ｃによって実現される。
【００５７】
＜再生装置試験装置の効果＞
以上、上記再生装置試験装置によれば、ＤＶＤデッキの動作テストを効率良く行うことが可能になる。これにより、従来、人海戦術で行っていたＤＶＤデッキの評価を自動的に行うことが可能となり、ＤＶＤデッキの製造から出荷までの一連の工程の処理の迅速化および評価精度の向上を図ることが可能となる。図９は、判定結果の一例を示す図である。図９に示すように、記憶装置１６には、ＤＶＤデッキの動作テストの結果が保存される。よって、この動作テストの結果を参照することで試験したＤＶＤデッキの動作の良否を確認することが可能になる。すなわち、例えば、全ての試験結果が良好（ＯＫ）であれば、試験したＤＶＤデッキは動作良好と判定することができるし、試験結果に一つでも不良（ＮＧ）があれば、試験したＤＶＤデッキは動作不良と判定することができる。
【００５８】
なお、図９に示す試験結果のデータは、ＰＣ３０のモニタに表示可能である。ここで、ＰＣ３０は、試験結果のデータをそのままモニタに表示してもよいが、これをユーザに判り易い情報に変換してから表示するようにしてもよい。すなわち、例えば、ＰＣ３０は、自身のハードディスク等の記憶装置に予め記憶されている変換データに基づいて情報を変換したのち表示してもよい。変換の具体的な処理内容については、前述と同様である。図
１０は、試験結果のデータに含まれている符合の意味を日本語に変換して表示したものの一例である。図１０が示すように、「０」や「１」といった符号のデータがその意味を示す表示に変換される。これにより、ユーザは、試験結果の内容を容易に理解することが可能になる。
【００５９】
なお、上記再生装置試験装置は、ＤＶＤデッキの試験結果が良または不良の何れであってもその試験結果をそのまま記憶措置１６に保存している。しかし、本発明はこれに限定されるものではない。すなわち、例えば、上記再生装置試験装置は、試験結果が不良の場合に再度同一の項目について試験し直してもよいし、試験結果が不良であった場合にこれをオペレータ等に通知したのち試験を中断するようにしてもよい。
【００６０】
また、上記再生装置試験装置は、ＤＶＤデッキに挿入された試験用の記録媒体（ＤＶＤディスク）の再生制御のみを行って試験を行っている。このため、試験用の記録媒体が１００枚くらいあるような場合、オペレータが試験対象のＤＶＤデッキにＤＶＤディスクを入れ替えるのは煩わしい。そこで、上記再生装置試験装置は、ＤＶＤディスクをハンドリングするハンドリング装置等を備えており、試験対象のＤＶＤデッキへ入れるＤＶＤディスクを自動的に入れ替え、それぞれのＤＶＤディスクについて再生試験を自動的に繰り返すようにしても良い。
【００６１】
なお、上記再生装置試験装置は、表１に示す試験項目のデータをテストしていたが、次のように変形しても良い。すなわち、上記再生装置試験装置は、表１に示す項目以外の項目、例えば、映像データや音声データ等、コンテンツに係るデータをテストしても良い。具体的には、再生装置試験用情報抽出装置によって記憶装置１６にコンテンツに係るデータを予め記憶させておく。そして、ＣＰＵ２１は、ステップＳ２０２の処理において、ＤＶＤデッキ４０から通知される映像や音声のデータを取得する。そして、ＣＰＵ２１は、記憶装置１５に保存されているコンテンツのデータとＤＶＤデッキ４０から通知される映像や音声のデータとを比較する。比較の結果、両者のデータが一致していれば、ＤＶＤデッキ４０が再生したコンテンツに異常はないと判断し、ＤＶＤデッキ４０は良好であると判定する。他方、比較の結果、両者のデータが不一致であれば、ＤＶＤデッキ４０が再生したコンテンツに異常があると判断し、ＤＶＤデッキ４０は不良であると判定する。なお、映像や音声のデータの一致不一致を判定する際は、完全一致であってもよいし、所定の誤り率を設定しておき、不一致の度合いが所定の誤り率以下の場合にＤＶＤデッキ４０が再生したコンテンツに異常はないと判断するようにしてもよい。係る変形例によれば、試験対象の再生装置が再生するコンテンツの再生状態が正常であるか否かを判定することが可能となる。
【図面の簡単な説明】
【００６２】
【図１】再生装置試験用情報抽出装置の構成図。
【図２】再生装置試験用情報抽出装置のＣＰＵの機能ブロック図。
【図３】再生装置試験用情報抽出装置の動作フロー図。
【図４】収集したデータの一例を示す図。
【図５】変換した収集データの一例を示す図。
【図６】再生装置試験装置の構成図。
【図７】再生装置試験装置のＣＰＵの機能ブロック図。
【図８】再生装置試験装置の動作フロー図。
【図９】判定結果の一例を示す図。
【図１０】変換した試験結果のデータの一例を示す図。
【符号の説明】
【００６３】
１０・・・・・再生装置試験用情報抽出装置
２０・・・・・再生装置試験装置
３０・・・・・ＰＣ
４０・・・・・ＤＶＤデッキ
１１，２１・・ＣＰＵ
１２，２２・・ＲＯＭ
１３，２３・・ＲＡＭ
１４，２４・・入出力インターフェース
１５・・・・・ディスクドライブ
１６・・・・・記憶装置
１１Ａ・・・・ディスクドライブ制御機能部
１１Ｂ・・・・データ処理機能部
２１Ａ・・・・ＤＶＤデッキ制御機能部
２１Ｂ・・・・状態取得機能部
２１Ｃ・・・・判定機能部
【図１】
0005021516.tif 000004
【図２】
0005021516.tif 000005
【図３】
0005021516.tif 000006
【図４】
0005021516.tif 000007
【図５】
0005021516.tif 000008
【図６】
0005021516.tif 000009
【図７】
0005021516.tif 000010
【図８】
0005021516.tif 000011
【図９】
0005021516.tif 000012
【図１０】
0005021516.tif 000013